(57)【要約】  本発明のエレベーターのＡＥＤシステムは、昇降機入口の扉の横にまたはホーム・オートメーションキー入力部に具備されたＡＥＤスィッチと、ＡＥＤスィッチからＡＥＤキーが押されて得た信号であるＡＥＤコール信号を受信したら、ＡＥＤスィッチが押された階に移動する昇降機と、昇降機の内に装着されて、ＡＥＤを収納・保管して、昇降機からＡＥＤコール信号を受信すれば、一側に装着されたＬＥＤを点燈するＡＥＤ保管箱を有する。かかるエレベーターの自動除細動器システムの本発明の制御方法は、昇降機がＡＥＤコール信号を受信された時点が、昇降機が停止状態にある場合は、ＡＥＤスィッチが押された階に移動して、昇降機がＡＥＤコール信号を受信された時点が、昇降機が運行中にある場合は、昇降機の現在の運行進行を中止して、ＡＥＤスィッチが押された階に移動する。
2015526358.tif 000002
【特許請求の範囲】
【請求項１】
昇降機の入口の扉の横にまたはホーム・オートメーションキー入力部に具備された、ＡＥＤスィッチと、
前記ＡＥＤスィッチからＡＥＤキーが押されて得た信号であるＡＥＤコール信号を受信すれば、前記ＡＥＤスィッチが押された該当の階に移動する、昇降機と、
昇降機の内に装着され、ＡＥＤ（自動除細動器）を収納・保管して、昇降機からＡＥＤコール信号を受信すれば、一側に装着されたＬＥＤを点燈する、ＡＥＤ保管箱と、
を含むことを特徴とする、エレベーターの自動除細動器システム。
【請求項２】
ＡＥＤコール信号が前記ＡＥＤスィッチから昇降機の運営サーバーに送信されて、
前記昇降運営サーバーは管理事務所の端末機にＡＥＤコール信号を送るように構成されることを特徴とする、請求項１に記載のエレベーターの自動除細動器システム。
【請求項３】
前記昇降機の運営サーバーは該当の昇降機にＡＥＤコール信号を送るように構成されていることを特徴とする、請求項２に記載のエレベーターの自動除細動器システム。
【請求項４】
前記管理事務所の端末機は警備室の端末機または指定された携帯電話にＡＥＤコール信号を送るように構成されていることを特徴とする、請求項２に記載のエレベーターの自動除細動器システム。
【請求項５】
前記昇降機は、前記ＡＥＤスィッチからＡＥＤコール信号を受信すれば、スピーカーを通じて応急状況を知らせる音声を送り出すことを特徴とする、請求項１に記載のエレベーターの自動除細動器システム。
【請求項６】
前記ＡＥＤ保管箱は昇降機の天井に収納されていることを特徴とする、請求項１に記載のエレベーターの自動除細動器システム。
【請求項７】
ＡＥＤスィッチは上端に透明なプラスチックカバーを具備して、
ＡＥＤスィッチを押す時には前記プラスチックカバーを壊して使うように構成されていることを特徴とする、請求項１に記載のエレベーターの自動除細動器システム。
【請求項８】
ＡＥＤ保管箱の底面にＬＥＤディスプレー部を具備して、
ＡＥＤ保管箱を昇降機の天井に収納した時に、前記ＬＥＤディスプレー部が昇降機の内から見えるように構成されていることを特徴とする、請求項６に記載のエレベーターの自動除細動器システム。
【請求項９】
ＡＥＤ保管箱は昇降機の天井で、昇降機の扉の横の上部に装着されることを特徴とする、請求項８に記載のエレベーターの自動除細動器システム。
【請求項１０】
ＡＥＤ保管箱の上端に装着されて、昇降機の天井内に位置された走路上にスプリングを挟んで装着される支持棒と、
ＡＥＤ保管箱の下端に装着されて、昇降機の側壁に位置されるＡＥＤ保管箱の取っ手と、を更に含むことを特徴とする、請求項９に記載のエレベーターの自動除細動器システム。
【請求項１１】
ＡＥＤ保管箱の取っ手の下部にはロック・解除のボタンを具備して、
ＡＥＤ保管箱が昇降機の天井内に位置されるようにする施錠装置を解除するように構成されていることを特徴とする、請求項１０に記載のエレベーターの自動除細動器システム。
【請求項１２】
ＡＥＤ保管箱は透明窓を有するＡＥＤ保管箱のカバーを具備して、
前記ＡＥＤ保管箱のカバーの下に溝を形成する開け閉め取っ手をさらに具備することを特徴とする、請求項１に記載のエレベーターの自動除細動器システム。
【請求項１３】
ＡＥＤ保管箱はＡＥＤ検査部を内蔵して、
ＡＥＤ検査部は定期的にＡＥＤの正常動作の可否を点検することを特徴とする、第１項ないし第１２項のいずれか１項に記載のエレベーターの自動除細動器システム。
【請求項１４】
ＬＥＤディスプレー部は、
ＡＥＤがあるのか、ＡＥＤがないか、ＡＥＤの自動診断の結果で正常動作が可能な状態であるのか、ＡＥＤの自動診断の結果で点検が必要な状態であるのかを現わす４個のＬＥＤ表示部を含むことを特徴とする、請求項１３に記載のエレベーターの自動除細動器システム。
【請求項１５】
ＡＥＤ検査部の検査結果は管理事務所の端末機またはＡＥＤ管理者の端末機に送信されることを特徴とする、請求項１３に記載のエレベーターの自動除細動器システム。
【請求項１６】
ＡＥＤ（自動除細動器）が収納されたＡＥＤ保管箱が昇降機内に装着されて、ＡＥＤスィッチのキーが押されて得た信号であるＡＥＤコール信号を昇降機が受信すれば、ＡＥＤコール信号が発生された階に移動するように成しているエレベーターの自動除細動器システムの制御方法において、
昇降機がＡＥＤコール信号を受信された時点が、昇降機が停止状態にある場合は、ＡＥＤスィッチが押された階に移動して、
昇降機がＡＥＤコール信号を受信された時点が、昇降機が運行中にある場合は、昇降機の現在の運行進行を中止して、ＡＥＤスィッチが押された階に移動することを特徴とする、エレベーターの自動除細動器システムの制御方法。
【請求項１７】
ＡＥＤスィッチが押された階に前記昇降機が移動した場合、
前記昇降機は２分間に昇降機扉を開放して、開きボタンが追加的に押される場合、追加的に２分間に昇降機扉を開放するように構成されていることを特徴とする、請求項１６に記載のエレベーターの自動除細動器システムの制御方法。
【請求項１８】
ＡＥＤスィッチが押される時やＡＥＤを取り出す時に、自動的に警備室の端末機、管理事務所の端末機、応急構造公団１１９の端末機、関連者携帯電話の中のいずれか一つ以上に状況を知らせるように構成されていることを特徴とする、請求項１７または請求項１８に記載のエレベーターの自動除細動器システムの制御方法。
【請求項１９】
前記昇降機は、前記ＡＥＤスィッチからＡＥＤコール信号を受信すれば、応急状況を知らせる案内メッセージを出力するとか、或いはＡＥＤを取り出す方法を説明する映像を出力するＬＣＤディスプレー部をさらに具備することを特徴とする、請求項１乃至請求項５のいずれか１項に記載のエレベーターの自動除細動器システム。
【請求項２０】
ＡＥＤスィッチが押された階に移動する時には、スピーカーまたはＬＣＤディスプレー部でＡＥＤスィッチが押された階に移動中であるのを知らせる案内メッセージを出力することを特徴とする、請求項１６に記載のエレベーターの自動除細動器システムの制御方法。
【請求項２１】
ＡＥＤスィッチが押された階に移動する時には、ＡＥＤを取り出す方法を説明する映像をＬＣＤディスプレー部で出力することを特徴とする、請求項１６乃至請求項２０のいずれか１項に記載のエレベーターの自動除細動器システムの制御方法。
【請求項２２】
ＬＣＤディスプレー部はＡＥＤ保管箱の底面の下に位置されるＡＥＤ保管箱の取っ手に装着されることを特徴とする、請求項１９に記載のエレベーターの自動除細動器システム。
【請求項２３】
ＡＥＤ保管箱の取っ手は、取っ手のヒンジ部によって、ＡＥＤ保管箱の底面に折りたたんでいり、ＡＥＤスィッチが押されることによって、取っ手を固定・支持した取っ手の固定支持部が解除され、取っ手が開かれて下に下るように構成されていることを特徴とする、請求項８に記載のエレベーターの自動除細動器システム。
【請求項２４】
ＡＥＤ保管箱の取っ手は、ＡＥＤ保管箱の底面に装着された取っ手の固定片の内側の孔の内で上下に移動できるように成していて、ＡＥＤスィッチが押されることによって、前記取っ手を固定・支持した取っ手の固定支持部が解除され、前記取っ手は下に下るように成構成されていることを特徴とする、請求項８に記載のエレベーターの自動除細動器システム。
【請求項２５】
下に下ったＡＥＤ保管箱の取っ手を引っぱることによって、ＡＥＤ保管箱の支持棒の一側と、天井の孔に設置されたヒンジ棒により形成された支持棒のヒンジ部とが回転してＡＥＤ保管箱が下に下るように構成されていることを特徴とする、請求項２３または請求項２４に記載のエレベーターの自動除細動器システム。
【請求項２６】
ＡＥＤスィッチは上端に透明なカバーを具備して、
前記透明カバーはスライド方式で開かれるように構成されていることを特徴とする、請求項１に記載のエレベーターの自動除細動器システム。
【請求項２７】
前記ＡＥＤ保管箱はエレベーターの内側の壁面の一側に装着されることを特徴とする、請求項１に記載のエレベーターの自動除細動器システム。
【請求項２８】
前記ＡＥＤ保管箱はエレベーターの内側の底部に装着されることを特徴とする、請求項１に記載のエレベーターの自動除細動器システム。
【請求項２９】
前記ＡＥＤ保管箱はエレベーターの内側の角部に装着されることを特徴とする、請求項１に記載のエレベーターの自動除細動器システム。
【発明の詳細な説明】
【技術分野】
【０００１】
本発明はエレベーターの自動除細動器システム及びその制御方法に関するもので、より詳しくは、昇降機の天井に自動除細動器（ＡＥＤ）が具備されて、エレベーターの昇降口の横（隣）に具備されたＡＥＤスィッチが押されれば、昇降機は現在運行を止めてＡＥＤスィッチが押された階にまず移動するように成しているエレベーターの自動除細動器システム及びその制御方法に関するものである。
【背景技術】
【０００２】
心臓麻痺（心停止）による死亡が毎年増加する趨勢にあるが、現在心臓麻痺患者の韓国内の蘇生率は数％に止めている状況である。現在として心臓麻痺患者を蘇生させるための唯一の装備は自動除細動器（Ａｕｔｏｍａｔｅｄ  Ｅｘｔｅｒｎａｌ  Ｄｅｆｉｂｒｉｌａｔｏｒ、自動体外式除細動器、ＡＥＤ）である。
【０００３】
ＡＥＤは音声案内を受けながら心肺蘇生術ができる装置で、ＡＥＤは患者の心臓状態をチェックして自動的に電気衝撃を与えることができるように成している。
【０００４】
心臓麻痺が発生すれば全身での血液循環が中断されるため、すぐ措置を取らなければ死亡するとか深刻な脳損傷が起きることができる。特に、脳は血液供給が４乃至５分だけでも中断されると、永久的に損傷され得る。
【０００５】
心肺蘇生術（ＣＰＲ）は心臓麻痺（心停止）が発生した時、人工的に血液を循環させて呼吸を助ける応急治療法で、患者の心臓が急に止める急性心停止が発生されると、応急処置法で心肺蘇生術をしなければならない。一般的な心肺蘇生術は正常血流量を２０％程度回復する一方、ＡＥＤを利用すれば１００％回復が可能であり、したがって、ＡＥＤは心臓搏動を正常に回復させて心停止患者の生存率を最大７０％まで高めることができる。
【０００６】
心停止発生以後、１分に約１０％ほど蘇生率が落ちるので、５分を越さないでＣＰＲとＡＥＤを使わなければならない。したがって、ＡＥＤの接近性が蘇生率の増加に非常に重要である。
【０００７】
死亡場所の１位は家庭の家であり、約６０％の心臓麻痺が家で発生している。しかしまだ高価であるＡＥＤが家ごとに具備されることは難しくて、したがって、家具が密集されている公共住宅で一番効率的にＡＥＤを設置する方案が要望される。
【０００８】
本発明はエレベーターの自動除細動器システム及びその制御方法を提案する。
【発明の概要】
【発明が解決しようとする課題】
【０００９】
しかし、エレベーター（昇降機）でＡＥＤが装着される場合、狭い空間で人々がエレベーター利用する時、衝突するとか、引っ掛かることも発生することがあるし、特に、ＡＥＤが壁面に設置される場合、昇降機が動く全体のライン構造に影響を与えるので多くの投資を要する。
【００１０】
したがって、本発明ではＡＥＤを昇降機の天井に設置され、人々が狭い空間でエレベーターを利用する時、衝突するとか、引っ掛かることがないようにして、相対的に価格が安いエレベーターの自動除細動器システム及びその制御方法を提案する。
【００１１】
特に、本発明では、エレベーターでその取っ手の位置が上部にあるようにして、子供たちの接近を防ぐことができて、ＡＥＤを保管箱の構造が長期保管することができる様に防塵効果を持っている。
【００１２】
本発明の解決しようとする課題は、昇降機の天井に自動除細動器（ＡＥＤ）が具備されて、エレベーターの昇降口の隣（横）に具備されたＡＥＤスィッチが押されれば、昇降機は現在運行を止めて、ＡＥＤスィッチが押された階にまず移動するように成しているエレベーターの自動除細動器システム及びその制御方法を提供するのである。
【００１３】
本発明の解決しようとする他の課題は、自動除細動器（ＡＥＤ）が具備されたエレベーターシステムで、ＡＥＤスィッチが押される時やＡＥＤを取り出す時に、自動的に警備室の端末機、管理事務所の端末機、応急構造公団（韓国では１１９の端末機、関連者の携帯電話の中のいずれか一つ以上に状況を知らせるように成したエレベーターの自動除細動器システム及びその制御方法を提供するのである。
【００１４】
本発明の解決しようとする他の課題は、自動除細動器（ＡＥＤ）が具備されたエレベーターシステムで、ＡＥＤ保管箱はＡＥＤ検査部を内蔵して、ＡＥＤ検査部は定期的にＡＥＤの正常動作の可否を点検するように成しているエレベーターの自動除細動器システム及びその制御方法を提供するのである。
【課題を解決するための手段】
【００１５】
前記課題を解決するために、本発明のエレベーターの自動除細動器システムは、昇降機の入口の扉の横にまたはホーム・オートメーション（ｈｏｍｅ  ａｕｔｏｍａｔｉｏｎ）のキー入力部に具備されたＡＥＤスィッチ；前記ＡＥＤスィッチからＡＥＤキーが押されて得た信号であるＡＥＤコール（ｃａｌｌ）信号を受信すれば、前記ＡＥＤスィッチが押された該当の階に移動する昇降機；昇降機内に装着され、ＡＥＤ（自動除細動器）を収納・保管して、昇降機からＡＥＤコール信号を受信すれば、一側に装着されたＬＥＤを点燈するＡＥＤ保管箱；を含めて成していることを特徴とする。
【００１６】
前記ＡＥＤスィッチからＡＥＤキーが押されて得た信号は昇降機の運営サーバーに伝送されて、前記昇降機の運営サーバーは管理事務所の端末機にＡＥＤコール信号を伝送するように成して、前記昇降機の運営サーバーは該当の昇降機でＡＥＤコール信号を送るように成している。
【００１７】
前記管理事務所の端末機は警備室の端末機または指定された携帯電話にＡＥＤコール信号を送るように成している。
【００１８】
前記昇降機は、前記ＡＥＤスィッチからＡＥＤコール信号を受信すれば、スピーカーを通じて応急状況を知らせる音声を送り出して、前記ＡＥＤ保管箱は昇降機の天井に収納されている。
【００１９】
ＡＥＤスィッチは上端に透明なプラスチックカバーを具備して、ＡＥＤスィッチを押す時には前記プラスチックカバーを壊して使うように成している。
【００２０】
ＡＥＤ保管箱の底面にＬＥＤディスプレー部を具備し、ＡＥＤ保管箱を昇降機の天井に収納の時に、前記ＬＥＤディスプレー部が昇降機内から見えるように成している。
【００２１】
ＡＥＤ保管箱は昇降機の天井で、昇降機の扉の横（隣）の上部に装着される。
【００２２】
本発明は、ＡＥＤ保管箱の上端に装着されて、昇降機の天井内に位置された走路上にスプリング（ばね）を挟んで装着される支持棒；ＡＥＤ保管箱の下端に装着され、昇降機の側壁に位置されるＡＥＤ保管箱の取っ手；をさらに含む。
【００２３】
ＡＥＤ保管箱の取っ手の下部にはロック・解除のボタン（ｌｏｃｋ  ｒｅｌｅａｓｅ  ｂｕｔｔｏｎ）を具備して、ＡＥＤ保管箱が昇降機の天井内に位置されるようにした施錠装置を解除するように成している。
【００２４】
ＡＥＤ保管箱は透明窓を具備するＡＥＤ保管箱のカバーを具備して、前記ＡＥＤ保管箱のカバーの下に溝（ｇｒｏｏｖｅ）を形成する開け閉め取っ手をさらに具備する。
【００２５】
ＡＥＤ保管箱はＡＥＤ検査部を内蔵して、ＡＥＤ検査部は定期的にＡＥＤの正常動作の可否を点検する。
【００２６】
ＬＥＤディスプレー部は、ＡＥＤがあるのか、ＡＥＤがないのか、ＡＥＤの自動診断の結果として正常動作が可能な状態であるのか、ＡＥＤの自動診断の結果として点検が必要な状態であるのかを現わす４個のＬＥＤ表示部を含み、ＡＥＤ検査部の検査結果は管理事務所の端末機またはＡＥＤ管理者の端末機に送信される。
【００２７】
本発明は、昇降機内にＡＥＤ（自動除細動器）が収納されたＡＥＤ保管箱が装着されて、昇降機がＡＥＤコール信号を受信すれば、ＡＥＤコール信号が発生した階に移動するように成しているエレベーターの自動除細動器システムの制御方法において、昇降機がＡＥＤコール信号を受信された時点が、昇降機が停止状態である場合は、ＡＥＤスィッチが押された階に移動して、昇降機がＡＥＤコール信号を受信された時点が、昇降機が運行中の場合は、昇降機の現在の運行進行を中止して、ＡＥＤスィッチが押された階に移動することを特徴とする。
【００２８】
前記昇降機がＡＥＤスィッチの押された階に移動した場合、２分間に昇降機扉を開放して、さらに開きボタンが追加的に押される場合、追加的に２分の間に昇降機扉を開放するように成している。
【００２９】
ＡＥＤスィッチが押される時とＡＥＤを取り出す時とに、自動的に警備室の端末機、管理事務所の端末機、応急構造公団１１９の端末機、関連者の携帯電話の中のいずれか一つ以上に状況を知らせるように成している。
【００３０】
前記昇降機は、前記ＡＥＤスィッチからＡＥＤコール信号を受信すれば、応急状況を知らせる案内メッセージを出力するとか、或いはＡＥＤを取り出す方法を説明する映像を出力するＬＣＤディスプレー部をさらに具備して、ＬＣＤディスプレー部はＡＥＤ保管箱の底面の下に位置するＡＥＤ保管箱の取っ手に装着される。
【００３１】
ＡＥＤスィッチが押された階に移動する時には、スピーカーまたはＬＣＤディスプレー部でＡＥＤスィッチが押された階に移動中であるのを知らせる案内メッセージを出力して、また、ＡＥＤスィッチが押された階に移動する時には、ＡＥＤを取り出す方法を説明する映像をＬＣＤディスプレー部を通じて出力する。
【００３２】
ＡＥＤ保管箱の取っ手が、取っ手のヒンジ部によって、ＡＥＤ保管箱の底面に折りたたまれており、ＡＥＤスィッチが押されることによって、取っ手を固定・支持した取っ手の固定支持部が解除され、取っ手が伸びて下に下るように成している。
【００３３】
ＡＥＤ保管箱の取っ手は、ＡＥＤ保管箱の底面に装着された取っ手の固定片の内側の孔の内で上下に移動できるように成していて、ＡＥＤスィッチが押されることによって、前記取っ手を固定・支持した取っ手の固定支持部が解除され、前記取っ手は下に下るように成している。
【００３４】
下に下ったＡＥＤ保管箱の取っ手を引っぱることによって、ＡＥＤ保管箱の支持棒の一側と、天井の孔に設置されたヒンジ棒によって形成された支持棒のヒンジ（ｈｉｎｇｅ）部とが回転してＡＥＤ保管箱が下に下るように成している。
【００３５】
ＡＥＤスィッチは上端に透明なカバーを具備して、前記透明カバーはスライド方式で開かれるように成している。
【００３６】
前記ＡＥＤ保管箱は、エレベーターの内側壁面の一側に装着されるとか、エレベーターの底部に装着されるとか、あるいはエレベーター内側の角部に装着されることができる。
【発明の効果】
【００３７】
本発明のエレベーターの自動除細動器システム及びその制御方法によれば、昇降機の天井にＡＥＤが具備されて、各世帯内にもＡＥＤスィッチが具備されて、世帯内のＡＥＤスィッチが押されれば昇降機は現在運行を止めてＡＥＤスィッチが押された階にまず移動するようにして、高価であるＡＥＤを家ごとに具備する必要なしで、効率的にＡＥＤを使うことができる。
【００３８】
また、本発明でＡＥＤが昇降機の天井に設置されていて、人々が狭い空間でエレベーターを利用する時に衝突あるいは引っかかることがないようにした。
【００３９】
また、本発明は、自動除細動器（ＡＥＤ）が具備されたエレベーターシステムにおいて、ＡＥＤスィッチが押される時とＡＥＤを取り出す時とに、自動的に警備室の端末機、管理事務所の端末機、応急構造公団１１９の端末機、関連者の携帯電話の中の一つ以上に状況を知らせるように成っており、応急状況により早く対処することができる。
【００４０】
また、本発明は、自動除細動器（ＡＥＤ）が具備されたエレベーターシステムにおいて、ＡＥＤ保管箱はＡＥＤ検査部を内蔵して、ＡＥＤ検査部は定期的にＡＥＤの正常動作の可否を点検して、応急状況が発生すればいつでも正常なＡＥＤを使うように措置されている。
【００４１】
特に、本発明で、取っ手の位置を上部にすることで子供たちの接近を防ぐことができて、保管する構造も長期保管に対する防塵効果を持つ。
【図面の簡単な説明】
【００４２】
【図１】本発明のエレベーターの自動除細動器システムで昇降口の扉の周辺に具備されたＡＥＤスィッチを説明するための説明図である。
【図２】本発明のエレベーターの自動除細動器システムで各世帯の家の内のホーム・オートメーション（ｈｏｍｅ  ａｕｔｏｍａｔｉｏｎ）キー入力部に具備されたＡＥＤスィッチを説明するための説明図である。
【図３】本発明のエレベーターの自動除細動器システムで昇降機内に具備されたＡＥＤ保管箱を説明するための説明図である。
【図４】図３のＡＥＤ保管箱の駆動方法を説明するための説明図である。
【図５】本発明のエレベーターの自動除細動器システムでＡＥＤ保管箱の底面のＬＥＤディスプレー部を説明するための説明図である。
【図６】本発明のエレベーターの自動除細動器システムの制御方法を説明するためのブロック図である。
【図７】本発明のエレベーターの制御方法を説明するための流れ図である。
【図８ａ】図３のエレベーターの自動除細動器システムにＬＣＤディスプレー部が追加された場合を現わす。
【図８ｂ】図８aのＡＥＤ保管箱の使用時を説明するための説明図である。
【図９】本発明の一実施例による天井内にＡＥＤ保管箱１５０が装着された構造を説明するための説明図である。
【図１０】本発明の他の一実施例で、天井からＡＥＤ保管箱を、ヒンジによる開閉方式で、取り出す方法を説明するための説明図である。
【図１１】本発明の一実施例によるエレベーターに具備されたＡＥＤスィッチ（ＡＥＤコール（呼び出し）ボタン）を説明するための説明図である。
【図１２】本発明の他の一実施例で、エレベーター内側の壁面にＡＥＤ保管箱が装着された場合の例である。
【図１３】本発明の他の一実施例で、エレベーター底部にＡＥＤ保管箱が装着された場合の例である。
【図１４】本発明の他の一実施例で、エレベーター内側の角部にＡＥＤ保管箱が装着された場合の例である。
【発明を実施するための形態】
【００４３】
本発明は昇降機の天井に自動除細動器（ＡＥＤ）が具備されて、エレベーターの昇降口の隣に具備されたＡＥＤスィッチが押されれば昇降機は現在運行を止めてＡＥＤスィッチが押された階にまず移動するように成しているエレベーターの自動除細動器システム及びその制御方法に関するものである。
【００４４】
本発明の一実施例によるエレベーターの自動除細動器システムで、ＡＥＤスィッチ１３０はエレベーターの昇降口の扉１１０の周辺にある昇降スィッチ部１２０の上部に装着される。
【００４５】
ＡＥＤスィッチ１３０を押せば、昇降機は現在運行を止めて押されたＡＥＤスィッチ１３０が位置された階にまず移動する。また、ＡＥＤスィッチ１３０が押されることと同時に管理事務所の端末機、警備室の端末機、指定された携帯電話、応急構造公団の電話１１９にＡＥＤスィッチ１３０が押されたことに対するお知らせ情報が伝送される。
【００４６】
応急心臓細動が発生した患者が共同住宅で発生した場合、玄関扉を出て昇降機入口に設置されているＡＥＤスィッチ１３０を押せば、エレベーターは現在運行を止めてＡＥＤスィッチ１３０が押された階にまず移動する。ＡＥＤスィッチ１３０は薄くて透明なプラスチックカバーを壊してＡＥＤスィッチ１３０を押すように成っている。その後、管理事務所ではこわれたカバーを引き離して新しいもので入れ替ることができる。
【００４７】
ＡＥＤスィッチ１３０が押されたら、ＬＥＤの点滅または音響（音声）で応急状況を昇降機に乗っていた人々に認知させて、また自動的に管理事務所の端末機、警備室の端末機、２個以上の指定された携帯電話に現在状態を伝送する。
【００４８】
以下、本発明のエレベーターの自動除細動器システム及びその制御方法を添付された図面を参照して詳しく説明する。
【００４９】
図１は本発明のエレベーターの自動除細動器システムで昇降口の扉の周辺に具備されたＡＥＤスィッチを説明するための説明図である。
【００５０】
ＡＥＤスィッチ１３０はエレベーターの昇降口の扉１１０の横にある昇降スィッチ部１２０の上部に装着される。
【００５１】
ＡＥＤスィッチ１３０を押せば、昇降機は現在運行を止めて押されたＡＥＤスィッチ１３０が位置された階にまず移動する。また、ＡＥＤスィッチ１３０が押されることと同時に、管理事務所の端末機、警備室の端末機、指定された携帯電話、応急構造公団１１９の端末機にＡＥＤスィッチ１３０の押されたことに対するお知らせ情報が送信される。
【００５２】
本発明でＡＥＤ保管箱１５０は長期保管による防塵効果をもたらすことができる構造に成して、通信機能が具備されていて、また取っ手の位置を上部にすることで子供たちの接近を阻むことができる。昇降機の天井１４０にＡＥＤを設置することで、人々が狭い空間でエレベーターを利用する時に衝突あるいは引っ掛かることがない。本発明でＡＥＤ保管箱１５０はＡＥＤ保管箱の開き部のわくにゴム素材などにパッキングして、密封されるように成して長期保管による防塵効果を具備することができる。
【００５３】
ＡＥＤスィッチ１３０のカバーは一度使用後に捨てて新しいものに変えるように成している。
【００５４】
すなわち、応急心臓細動の発生した患者が共同住宅で発生した場合、玄関扉を出て昇降機入口に設置されているＡＥＤスィッチ１３０を押せば、エレベーターは現在運行を止めてＡＥＤスィッチ１３０が押された階にまず移動する。ＡＥＤスィッチ１３０は、薄くて透明なプラスチックのカバーを壊してＡＥＤスィッチ１３０を押すように成っている。その後、管理事務所はこわれたカバーを引き離して新しいもので入れ替る。
【００５５】
ＡＥＤスィッチ１３０が押されたら、ＡＥＤ保管箱の底面１５５（すなわち、ＡＥＤ保管箱の底）のＬＥＤが点滅しながら応急状況を昇降機に乗っていた人々に認知させる。また、ＡＥＤスィッチ１３０が押されたら、自動的に管理事務所の端末機、警備室の端末機、２個以上の指定された携帯電話に現在状態を送信する。
【００５６】
図２は本発明のエレベーターの自動除細動器システムにおいて各世帯の家の内にホーム・オートメーション（ｈｏｍｅ  ａｕｔｏｍａｔｉｏｎ）キー入力部で具備されたＡＥＤスィッチを説明するための説明図である。
【００５７】
各世帯の家に設置されたホーム・オートメーション（Ｈｏｍｅ  Ａｕｔｏｍａｔｉｏｎ）キー入力部１２５にＡＥＤスィッチ１３０があって、使用者がＡＥＤスィッチ１３０を押せば、昇降機は現在運行を止めてＡＥＤスィッチ１３０が押された階にまず移動する。 したがって使用者はＡＥＤスィッチ１３０を押した後、玄関扉から外に出て昇降機を待つていれば良い。
【００５８】
ＡＥＤスィッチ１３０が押されれば、ＡＥＤ保管箱の底面１５５のＬＥＤが点滅しながら応急状況を昇降機に乗っていた人々に認知させて、また、ＡＥＤスィッチ１３０が押されれば、自動的に管理事務所の端末機、警備室の端末機、２個以上の指定された携帯電話に現在状態を送信する。
【００５９】
図３は本発明のエレベーターの自動除細動器システムで昇降機内に具備されたＡＥＤ保管箱を説明するための説明図であり、図４は図３のＡＥＤ保管箱の駆動方法を説明するための説明図である。
【００６０】
ＡＥＤ保管箱１５０は内側にＡＥＤを収納・保管する箱であり、昇降機内の昇降機の天井１４０で、昇降機扉１１５の横の上部に装着される。ＡＥＤ保管箱１５０の底面１５５にはＬＥＤが装着されていて、ＡＥＤスィッチ１３０が押される場合、自動的に点燈されるように成っている。
【００６１】
ＡＥＤ保管箱のカバー１５３は透明窓１５２を具備して、一側に開け閉め取っ手１５７を具備する。
【００６２】
開け閉め取っ手１５７はＡＥＤ保管箱１５０の側面に溝（ｇｒｏｏｖｅ）の形態に形成されている。
【００６３】
ＡＥＤ保管箱の取っ手１６０はＡＥＤ保管箱１５０の底面の一側（昇降機の壁に近接した部分）に装着されて、ＡＥＤ保管箱の取っ手１６０の下面にロック・解除のボタン１７０を具備する。使用者はロック・解除のボタン１７０を押してロックを解除しながらＡＥＤ保管箱の取っ手１６０を下に引っ張ると、ＡＥＤ保管箱１５０は下に移動する。
【００６４】
ロック・解除のボタン１７０はＡＥＤ保管箱の取っ手１６０の下部に位置されて、ＡＥＤ保管箱１５０を昇降機の天井１４０内に位置させる施錠装置を解除する。これによって、ＡＥＤ保管箱１５０は昇降機の天井１４０内から昇降機の天井１４０の外の下に下るようになる。
【００６５】
ＡＥＤ保管箱の支持棒１８０は昇降機の天井１４０内にいる走路上のレール（未図示）上に装着され、一端はＡＥＤ保管箱１５０の上端部に装着されて、他の一端にはスプリング（未図示）と連結され、前記スプリングはレールの端部に装着される。場合によって、ＡＥＤ保管箱の支持棒１８０の一側には溝（ｇｒｏｏｖｅ）（又は、しきい（ｔｈｒｅｓｈｏｌｄ））を具備して、レールのしきい（ｔｈｒｅｓｈｏｌｄ）（又は、溝（ｇｒｏｏｖｅ））、或いは、天井の孔部に固定して、ＡＥＤ保管箱１５０が昇降機の天井１４０から外の下に下った時に固定できるようになっている。また、場合によって、ＡＥＤ保管箱の支持棒１８０は折りたたみ式で成すこともできる。
【００６６】
すなわち、本発明では図３のような状況で取っ手にあるロック・解除のボタン１７０を押して取っ手１６０を下に引っぱれば、天井１４０に隠れているＡＥＤ保管箱１５０がスプリングのテンションによってレールに乗って柔らかに下に下る。それでは、ＡＥＤ保管箱１５０を開いてＡＥＤを取り出すことができる。ＡＥＤ保管箱１５０はほこりなどからＡＥＤを安全に保管することができて、本発明ではスプリングとレール構造とでＡＥＤ保管箱が早く落ちることを防止する。
【００６７】
図３及び図４ではスプリング及びレール構造によってＡＥＤ保管箱１５０が下に下ることを説明しているが、これは本発明を限定するためではなく、本発明では折りたたみ式などさまざまな方法を具備することができる。
【００６８】
本発明のＡＥＤ保管箱１５０は有線/無線通信で連結されて、ＡＥＤが取り出した状況を感知して自動的に管理事務所の端末機、警備室の端末機、２個以上の指定された携帯電話で現在状態を送信する。
【００６９】
ＡＥＤを取り出した後、取っ手を押し上げれば、ＡＥＤ保管箱１５０は天井１４０の内に入って行って衝撃や震動によって下に落ちないように閉ざす。
【００７０】
図５は本発明のエレベーターの自動除細動器システムでＡＥＤ保管箱の底面のＬＥＤディスプレー部を説明するための説明図である。
【００７１】
ＡＥＤスィッチ１３０が押されれば、ＡＥＤの文字が点滅して案内放送を通じて現在のエレベーターの搭乗者に認知させる。４個のＬＥＤ灯を通じてＡＥＤがあるのか（Ｗｉｔｈ  ＡＥＤ）、ＡＥＤがないのか（Ｗｉｔｈｏｕｔ  ＡＥＤ）、周期的なＡＥＤの自動診断の結果で正常動作ができるのか（Ｎｏｒｍａｌ  Ｏｐｅｒａｔｉｏｎ）、周期的なＡＥＤの自動診断の結果で点検が必要である状況なのか（Ｃｈｅｃｋｕｐ）を表示してくれる。
【００７２】
ＡＥＤ保管箱１５０の内で、ＡＥＤは毎日、毎週、毎月にシステムの正常動作の可否を自動的に点検する。
【００７３】
ＡＥＤはこの結果を保管箱に無線（ＩＲＤＡ、Ｂｌｕｅｔｏｏｔｈ(登録商標)、Ｗｉ−Ｆｉなど）で伝達して、ＡＥＤ保管箱の底面１５５のＬＥＤディスプレー部にあるＬＥＤを点灯して状況を現わしてくれて、またエレベーターの通信網を利用して管理事務所または管理主体から運営するサーバー（ＡＥＤ管理者の端末機）に伝達する。
【００７４】
図６は本発明のエレベーターの自動除細動器システムの構成であり、図７は本発明のエレベーターの自動除細動器システムの制御方法を説明するための流れ図である。
【００７５】
本発明ではＬＣＤディスプレー部１６５を更に具備することができる。
【００７６】
昇降口の扉１１０（すなわち、昇降機入口）またはホーム・オートメーション（ｈｏｍｅ  ａｕｔｏｍａｔｉｏｎ）のキー入力部１２５でＡＥＤスィッチ１３０が押された場合、ＡＥＤスィッチ１３０のキーの押されて得た信号であるＡＥＤコール信号は昇降機の運営サーバー２００に送信されて（Ｓ１１０、昇降機の運営サーバー２００は該当の昇降機２０５でこれを送る（Ｓ１３０）。
【００７７】
また、昇降機の運営サーバー２００は管理事務所の端末機２５０にＡＥＤコール信号を送って、管理事務所の端末機２５０は警備室の端末機２７０及び２個以上の指定された携帯電話２６０にこれを送る（Ｓ１４０）。
【００７８】
該当の昇降機２０５はＡＥＤコール信号を受信したら、スピーカー２１０を通じてこの事実を知らせて（Ｓ１５０、同時にＬＥＤディスプレー部１９５を点燈させて、またＬＣＤディスプレー部１９５で案内メッセージを出力して、該当の昇降機２０５をＡＥＤコール信号が発生された階に移動させる（Ｓ１６０。すなわち、これを通じて搭乗者は危急状況であることを知りながら、移動することになる。また、移動中にはＬＣＤディスプレー部１９５とスピーカーとを通じてＡＥＤを取り出す方法などの説明を出力する（Ｓ１７０。これを通じて搭乗者は先にＡＥＤを取り出して、ドアが開いた時に、すぐにＡＥＤを渡して、より迅速に応急処置ができるようにする。
【００７９】
該当の昇降機２０５がＡＥＤスィッチ１３０が押された階（応急状況が発生した該当の階）に移動した後、２分間に昇降機の扉の開放をして、さらに開きボタンが押されることによって追加的に２分間の扉開放をして、開きボタンが押されることによって扉開放を繰り返す（Ｓ１８０）。
【００８０】
該当の昇降機２０５が停止状態にある場合には、ＡＥＤスィッチ１３０が押された階に最高速度で移動して、２分間の扉開放をして、さらに開きボタンが押されることによって追加的に２分間の扉開放を繰り返す。
【００８１】
該当の昇降機２０５が停止状態にあるが、他の階のボタンが押されている場合、現在の昇降機の扉１１５が開いていったら、この扉を閉じて、ＡＥＤスィッチ１３０が押された階に移動される。
【００８２】
該当の昇降機２０５が運行中である場合、既存の運行進行を中止して、普通の速度でＡＥＤボタンが押された階に移動して、２分間の扉開放をして、さらに開きボタンが押されることによって追加的に２分間に扉開放を繰り返す。ここで扉開放の時間を２分で記載しているが、これは発明の説明の便宜上にこのように取ったもので、これで本発明を限定するためではなくて、設定される扉開放の時間はどんな時間でも構わない。
【００８３】
状況が終わって、閉じるボタンが押された場合、該当の昇降機２０５は現位置と中止された状況とを利用し計算して戻して運行をする。
【００８４】
現在、家庭ごとにＡＥＤが設置されるには社会的にあまりにも大きい費用が発生する。したがって共同で使うようにＡＥＤが普及されている実情である。
【００８５】
本発明のエレベーターの自動除細動器システムがエレベーターに具備される場合では、一般的に１階、外部、警備室、管理事務所にＡＥＤを備えた場合より接近性が非常に早いので、蘇生率を高めることができる。
【００８６】
ホーム・オートメーション（Ｈｏｍｅ  Ａｕｔｏｍａｔｉｏｎe Automation）のキー入力部１２５での別途ボタン又はエレベーターの昇降口の扉１１０（すなわち、昇降機入口）の横の別途ボタンとして、ＡＥＤスィッチ１３０を具備して、ＡＥＤスィッチ１３０が押される場合、昇降機は既存の運行を取り消してＡＥＤスィッチ１３０が押された階でまず運行することで接近性をいっそう高めた。
【００８７】
本発明のエレベーターの自動除細動器システムで、狭い昇降機内部でも天井の上にＡＥＤを設置することで普段運営の時に不便さをとり除いた。
【００８８】
また、本発明は子供たちの手が届かない位置に取っ手１６０を配置して、取っ手を引っ張るとあまりにも早く下る（落ちる）ことを阻む構造を採用した。
【００８９】
また本発明は、防塵構造を持った保管箱の設置でほこりから装備を守ることができる。
【００９０】
本発明はＡＥＤスィッチ１３０が押される時やＡＥＤを取り出す時に、自動的に警備室の端末機、管理事務所の端末機、応急構造公団１１９の端末機、関連者の携帯電話に状況を知らせることができるシステムを追加することで応急状況に効果的に対処することができる。
【００９１】
本発明でＡＥＤ保管箱１５０はＡＥＤから自家試験結果を受信して昇降機の運営サーバー２００を通じて管理事務所の端末機２５０に送ることで、装備の故障、パッドやバッテリーの入れ替え時期などを遠隔で管理することができる。
【００９２】
本発明でＡＥＤ保管箱の底面１５５でＡＥＤの有/無と、故障可否とを確認するために表示するＬＥＤが装着されている。
【００９３】
場合によっては、ＡＥＤ保管箱の底面１５５のＬＥＤディスプレー部１９５はいつも点燈されていって、ＡＥＤスィッチ１３０が押された危急状況ではＬＥＤディスプレー部１９５のＬＥＤが点灯、点滅を繰り返して危急状況を知らせるようにする。
【００９４】
本発明は応急状況で昇降機が既存の運行を取り消して応急（優先）運行をする場合、保管箱の底のＬＥＤディスプレー部１９５とスピーカー２１０の音声案内とを通じて搭乗者に危急状況を知らせる。
【００９５】
図８ａは図３のエレベーターの自動除細動器システムにＬＣＤディスプレー部が追加された場合を現わして、図８ｂは図８ａのＡＥＤ保管箱の使用の時を説明するための説明図である。
【００９６】
ＬＣＤディスプレー部１６５はＡＥＤ保管箱１５０の底面の下に位置するＡＥＤ保管箱の取っ手１６０に装着されることができる。ＬＣＤディスプレー部１６５は現在の応急状況でＡＥＤスィッチ１３０（ＡＥＤ呼び出し（コール）ボタン）が押された階に移動するという案内メッセージを音声とともにエレベーター内部に知らせるとか、ＡＥＤ保管箱１５０からＡＥＤを取り出す方法を説明する画面をディスプレーする。
【００９７】
すなわち、エレベーターの外部にあるＡＥＤスィッチ１３０（ＡＥＤコールボタン）を押せば、エレベーターが押された階に移動の時に、エレベーターの内部では音声で現在に応急状況でＡＥＤスィッチ１３０が押された階に移動するという案内を送り出す。もし、ＬＣＤスクリーンが一緒に設置されていれば、映像でも内部の利用者に案内をして、エレベーター内部に装着されたＡＥＤをあらかじめ取り出してドアがあけば早く渡すことができるようにして時間を争う応急状況に題して素早く備えることができる。
【００９８】
図９は本発明の一実施例による天井の内にＡＥＤ保管箱１５０が装着された構造を説明するための説明図である。
【００９９】
天井内の支持台３００の一側にＡＥＤ保管箱の支持棒１８０が移動するための走路が形成されて、前記走路上にレール３５０が具備すされる。
【０１００】
天井内の支持台３００の上端部にスプリング３１０の一端が装着されて、スプリング３１０の他の一端はＡＥＤ保管箱の支持棒１８０の上端部に装着されて、ＡＥＤ保管箱の支持棒１８０の下端部はＡＥＤ保管箱１５０の上端部に装着される。
【０１０１】
図１０は本発明の他の一実施例で、天井からＡＥＤ保管箱を、ヒンジによる開閉方式で、取り出す方法を説明する。
【０１０２】
図１０の（ａ）または図１０の（ｂ）のように天井内に装着されたＡＥＤ保管箱１５０がＡＥＤスィッチ１３０が押されることによって、図１０の（ｃ）のように取っ手１６０が自動的に開かれるとか、或いは飛び出して、この取っ手１６０を下に引っぱれば、図１０の（ｄ）のようにＡＥＤ保管箱の支持棒１８０の一側と、天井の孔に設置されたヒンジ棒とによって形成された支持棒のヒンジ部１８５が回転して開けられて、結果的にＡＥＤ保管箱１５０が下に下る構造である。
【０１０３】
図１０の（ａ）は天井にＡＥＤ保管箱１５０が装着されている状態で、取っ手１６０はＡＥＤ保管箱１５０の底面に装着された取っ手の固定片１６７と繋がれて、取っ手のヒンジ部１６３によって回動が可能であるように繋がれて、図１０の（ｅ）のように固定片１６７の内にある孔の内で上下に移動できるように成している。取っ手１６０を引っぱるとか、或いはＡＥＤスィッチ１３０が押されることによって、取っ手１６０を固定・支持した取っ手の固定支持部（未図示）が解除されて、取っ手１６０が下に下るようになる。取っ手のヒンジ部１６３は取っ手１６０の一端と取っ手の固定片１６７との間に形成されたヒンジ部である。
【０１０４】
図１０の（ｂ）は取っ手１６０がＡＥＤ保管箱１５０の底面に取っ手のヒンジ部１６３によって折りたたんでいる状態で、取っ手１６０を引っぱるとか、或いはＡＥＤスィッチ１３０が押されることによって、取っ手１６０を固定・支持した取っ手の固定支持部（未図示）が解除されて取っ手１６０は開かれて、下に下るようになる。
【０１０５】
取っ手１６０を引っぱってＡＥＤ保管箱１５０が下に下れば、取っ手ストッパー１６９を動作させて、取っ手の固定片１６７に取っ手１６０を固定する。
【０１０６】
図１１は本発明の一実施例によるエレベーターに具備されたＡＥＤスィッチ（ＡＥＤ呼び出し（コール）ボタン）を説明するための説明図である。
【０１０７】
ＡＥＤスィッチ１３０（ＡＥＤ呼び出し（コール）ボタン）はエレベーターの入口部の一側に位置されて、ＡＥＤスィッチ１３０の上には透明なカバーがあって、前記透明カバーはスライド方式で開かれるように構成されることができる。
【０１０８】
図１２は本発明の他の一実施例で、エレベーターの内側の壁面にＡＥＤ保管箱が装着された場合の一例である。
【０１０９】
図１２を参照して、エレベーターの内側の壁面の一側にＡＥＤ保管箱１５０が装着されて、その下にＬＣＤディスプレー部１６５が装着されることができる。
【０１１０】
図１３は本発明の他の一実施例で、エレベーターの底部にＡＥＤ保管箱が装着された場合の一例である。
【０１１１】
図１３を参照して、エレベーターの底部にＡＥＤ保管箱１５０が装着されて、ヒンジ部によって開閉されてＡＥＤ保管箱１５０が取り出される。
【０１１２】
図１４は本発明の他の一実施例で、エレベーター内側の角部にＡＥＤ保管箱が装着された場合の一例である。
【０１１３】
図１４を参照して、エレベーター内側の角部にＡＥＤ保管箱が装着されて、さらにＬＣＤディスプレー部が装着されることができる。
【０１１４】
以上で、本発明はたとえ限られた実施例及び図面によって説明されても、本発明は前記の実施例に限定されるのではなくて、本発明が属する分野で通常の知識を持った者ならばこのような記載から多様な修正及び変形が可能である。したがって、本発明の思想は本発明の特許請求範囲によりのみ、把握されなければならない。そして、これの均等または等価的な変形の全ては本発明思想の範疇に属すると言えられる。
【産業上の利用可能性】
【０１１５】
本発明はエレベーターに適用される自動除細動器システムまたは自動除細動器システムを具備しているエレベーターに適用されることができて、高価であるＡＥＤを家ごとに具備する必要ないし、自動除細動器（ＡＥＤ）が具備されたエレベーターシステムでＡＥＤの正常動作の可否を定期点検してより効率的にＡＥＤを使うことができる。
【図１】
2015526358.tif 000003
【図２】
2015526358.tif 000004
【図３】
2015526358.tif 000005
【図４】
2015526358.tif 000006
【図６】
2015526358.tif 000007
【図７】
2015526358.tif 000008
【図８ａ】
2015526358.tif 000009
【図８ｂ】
2015526358.tif 000010
【図９】
2015526358.tif 000011
【図１０（ａ）】
2015526358.tif 000012
【図１０（ｂ）】
2015526358.tif 000013
【図１０（ｃ）】
2015526358.tif 000014
【図１０（ｄ）】
2015526358.tif 000015
【図１０（ｅ）】
2015526358.tif 000016
【図１１】
2015526358.tif 000017
【図１２】
2015526358.tif 000018
【図１３（ａ）】
2015526358.tif 000019
【図１３（ｂ）】
2015526358.tif 000020
【図１４（ａ）】
2015526358.tif 000021
【図１４（ｂ）】
2015526358.tif 000022
【図５】
2015526358.tif 000023
【国際調査報告】
2015526358.tif 000024
2015526358.tif 000025
2015526358.tif 000026
2015526358.tif 000027